(57)【特許請求の範囲】
【請求項１】
上下両端面の回転中心に座ぐり穴を穿設した無垢の丸棒状の握持用バーと、
該握持用バーの前記座ぐり穴と対応する嵌合凸部を一側の端面に突設し、円周面に環状溝を設け、前記嵌合凸部を前記座ぐり穴に嵌め込んで前記握持用バーに固着したプーリ状のジョイントと、
前記握持用バーを取り付ける先端部側に前記ジョイントを嵌合する円形穴を形成し、該円形穴と連通するねじ穴を、取付時に扉の板面と対向する向きに開けて設けてなる上下一対の取付ブラケットと、
該取付ブラケットの前記ねじ穴に捩じ込んで前記環状溝にねじ先端を係合し、前記ジョイントを抜け止め保持するねじピンと、を備えて前記扉の両板面に取り付ける一対のバーハンドルであって、
いずれのバーハンドルも、前記上下一対の取付ブラケットの前記円形穴にそれぞれ前記握持用バーの前記ジョイントを嵌合し、前記ねじ穴に前記ねじピンを捩じ込んでねじ先端を前記ジョイントの前記環状溝に係合し、前記握持用バーを、前記取付ブラケットに対し抜け止め状態で回転自在に保持して組み立ててなることを特徴とする、扉用バーハンドル。
【発明の詳細な説明】
【技術分野】
【０００１】
本発明は、引戸や折戸など、左右にスライド操作して開閉する扉の取っ手であって、そのような取っ手の中でも、扉の開閉操作時に手で握る長尺な握持用バーを備え、その握持用バーを取付ブラケットを介して扉板面に付設した扉用バーハンドルに関する。
【背景技術】
【０００２】
この種の扉用バーハンドルは、引戸や折戸のようなスライド開閉式扉に付設した取っ手の中でも、特にお年寄りや障害者にも優しい取っ手として、病院や福祉施設などで広く使用され、それらのスライド開閉式扉に取り付けられている。そして、従来の扉用バーハンドルは、図４中符号１で示すように、たとえば折戸式の扉２に取り付けられ、一般に、長尺な握持用バー３を、その上下両端を取付ブラケット４・４に固定し、これら取付ブラケット４・４を介して扉２の両板面に固着した構造になっている。
【発明の開示】
【発明が解決しようとする課題】
【０００３】
ところが、従来の扉用バーハンドル１は、握持用バー３を、取付ブラケット４・４を介して扉２に対し固定した構造になっているが、一方で、手首の不自由なお年寄りや障害者は、扉２の開閉操作時に、握持用バー３を握った状態で、扉２の移動に合わせて手首を回しながら押したり引いたりする動作を簡単には行えず、これがお年寄りや障害者にとって扉２の開閉操作上大きな負担となり、使い勝手が良くないという問題がある。
【０００４】
そこで、この問題を解決するために、図５に示すように、扉用バーハンドル１の握持用バー３を、たとえば取付ブラケット４・４間で固定した心棒３ａと、その心棒３ａに対し嵌合させて回転可能な樹脂製パイプ３ｂとで構成し、扉２の開閉時に、握持用バー３のパイプ３ｂを握ったまま手首を回さないで扉２を押したり引いたりしても、パイプ３ｂが心棒３ａの周りで回転する構造とし、これにより、お年寄りや障害者であっても、手首を使わないで扉２の移動に合わせて簡単に扉２を開閉できるように構成することも考えられる。
【０００５】
しかしながら、従来の扉用バーハンドル１において、握持用バー３を、上述の如く樹脂製パイプ３ｂを心棒３ａ周りで回転させる構造にした場合には、握持用バー３を強く握って扉２を開閉操作するときに、樹脂製パイプ３ｂが薄肉で比較的強度が弱いために凹んだりして破損しやすく、使用上の安全性に欠けるという課題がある。
【０００６】
そこで、本発明の目的は、扉用バーハンドルにおいて、握持用バーを、強度の低下を招くことなく回転可能な構造にすることを簡略な構成によって実現し、手首の不自由なお年寄りや障害者でも簡単に扉を開閉操作できるようにすることにある。
【課題を解決するための手段】
【０００７】
上記した課題を解決すべく、本発明の扉用バーハンドルは、たとえば以下に示す図示実施の形態のとおり、上下両端面の回転中心に座ぐり穴１９を穿設した無垢の丸棒状の握持用バー１２と、該握持用バー１２の前記座ぐり穴１９と対応する嵌合凸部１３ｂを一側の端面に突設し、円周面に環状溝１３ａを設け、前記嵌合凸部１３ｂを前記座ぐり穴１９に嵌め込んで前記握持用バー１２に固着したプーリ状のジョイント１３と、前記握持用バー１２を取り付ける先端部側に前記ジョイント１３を嵌合する円形穴２４を形成し、該円形穴２４と連通するねじ穴２５を、取付時に扉Ｄの板面と対向する向きに開けて設けてなる上下一対の取付ブラケット１４・１５と、該取付ブラケットの前記ねじ穴２５に捩じ込んで前記環状溝１３ａにねじ先端１６ｂを係合し、前記ジョイント１３を抜け止め保持するねじピン１６と、を備えて前記扉Ｄの両板面に取り付ける一対のバーハンドル１０・１１であって、いずれのバーハンドル１０・１１も、前記上下一対の取付ブラケット１４・１５の前記円形穴２４にそれぞれ前記握持用バー１２の前記ジョイント１３を嵌合し、前記ねじ穴２５に前記ねじピン１６を捩じ込んでねじ先端１６ｂを前記ジョイント１３の前記環状溝１３ａに係合し、前記握持用バー１２を、前記取付ブラケット１４・１５に対し抜け止め状態で回転自在に保持して組み立ててなることを特徴とする。
【発明の効果】
【０００８】
本発明によれば、扉の開閉時、握持用バーを握ったまま手首を回さないで扉を押したり引いたりすると、握持用バーが取付ブラケットに対しジョイントを介して回転し、たとえ手首の不自由なお年寄りや障害者であっても、握持用バーを握ったまま手首を使わないで、扉を単純に押したり引いたりさえすれば、扉の移動に合わせて簡単に扉を動かして開閉することができる。そして、握持用バーを回転可能な構造にすることを、強度の低下を招くことなく、ジョイントやねじピンを用いた簡略な構成によって実現することができる。
【発明を実施するための最良の形態】
【０００９】
以下、図面を参照しつつ、本発明の実施の形態について説明する。
【００１０】
図１は、本発明の扉用バーハンドルを扉の両板面に取り付けた状態において示す縦断面図、図２は扉用バーハンドルの分解斜視図である。図示例では、引戸や折戸などのスライド開閉式扉Ｄの両板面に、各々取り付ける扉用バーハンドル１０・１１を示している。扉用バーハンドル１０・１１は、それぞれ１本の握持用バー１２と、上下に一対のジョイント１３・１３と、上下に一対の取付ブラケット１４・１４，１５・１５と、上下に一対のねじピン１６・１６を用いて組み立てられる構成になっている。また、これら扉用バーハンドル１０・１１は、一対の取付手段２０・２０を用いて扉Ｄの両板面に取り付ける構成になっている。
【００１１】
握持用バー１２は、例えば長さ４０ｍｍ程度の丸棒状をなす木製で、上下両端面に座ぐり穴１９を穿設してなる。なお、図示例の握持用バー１２は、無垢の木を加工したものを使用したが、材質としては、樹脂製であってもよく、また、樹脂と木粉を使用して所謂木調に加工したもの等であってもよい。
【００１２】
ジョイント１３・１３は、それぞれプーリ状の連結金具で、円周面に環状溝１３ａを有すると共に、一側の端面に、座ぐり穴１９と対応する嵌合凸部１３ｂを突設している。そして、嵌合凸部１３ｂを座ぐり穴１９に嵌め込み、皿ねじ２１を用いて握持用バー１２に固着してなる。
【００１３】
図示例の取付ブラケット１４・１４，１５・１５は、例えばアルミダイキャストや亜鉛ダイキャスト製など、各種金属でケース状につくられ、握持用バー１２を取り付ける側の先端部１４ａ・１５ａの片側側面に、キャップ状の短管部１４ｂ・１５ｂを突設し、その短管部１４ｂ・１５ｂの開口縁に、ジョイント１３・１３に合わせて段付きに開けた円形穴２４を形成している。また、短管部１４ｂ・１５ｂには、円形穴２４と直交する向きに開けて該円形穴２４と連通する小径なねじ穴２５を設けている。なお、片側の取付ブラケット１４・１４には、それぞれ基端部１４ｃにねじ穴２６が設けられている。一方、他側の取付ブラケット１５・１５には、それぞれ基端部１５ｃに取付筒穴２７が穿設されると共に、取付筒穴２７と直交する向きに開けて該取付筒穴２７と連通する小径なねじ穴２８が設けられている。
【００１４】
ねじピン１６は、ねじ部１６ａとねじ先端の係合軸部１６ｂとからなる。そこで、扉用バーハンドル１０は、片側の取付ブラケット１４・１４の円形穴２４に、それぞれ握持用バー１２のジョイント１３・１３を嵌合し、ねじ穴２５にねじピン１６のねじ部１６ａを捩じ込んでジョイント１３・１３の環状溝１３ａに係合軸部１６ｂを係合し、握持用バー１２の上下両端を抜け止め状態で回転自在に保持して組み立ててなる。同様に、他方の扉用バーハンドル１１も、他側の取付ブラケット１５・１５の円形穴２４に、それぞれ握持用バー１２のジョイント１３・１３を嵌合し、ねじ穴２５にねじピン１６のねじ部１６ａを捩じ込んでジョイント１３・１３の環状溝１３ａに係合軸部１６ｂを係合し、握持用バー１２の上下両端を抜け止め状態にして回転自在に保持して組み立ててなる。
【００１５】
なお、取付手段２０・２０は、長ねじ３０と、ローラ状の連結金具３１と、小ねじ３２とを備えてなる。連結金具３１は、円周面に環状の係合溝３１ａを設けてなる。そこで、図示例において、取付手段２０・２０は、長ねじ３０に対し連結金具３１を係合させた状態で、長ねじ３０のねじ部３０ａを、図１に示す如く扉Ｄを通して片側の扉用バーハンドル１０における取付ブラケット１４・１４のねじ穴２６に捩じ込み、扉Ｄの片側板面に取り付ける。そして、長ねじ３０の頭部３０ｂおよび連結金具３１を、他側の扉用バーハンドル１１における取付ブラケット１５・１５の取付筒穴２７に嵌め込み、ねじ穴２８に小ねじ３２を捩じ込んで連結金具３１の係合溝３１ａにねじ先端３２ａを係合し、扉Ｄの他側板面に取り付けてなる。
【００１６】
さて、上述した扉用バーハンドル１０・１１を付設した扉Ｄの開閉時に、握持用バー１２を握ったまま手首を回さないで扉Ｄを押したり引いたりすると、握持用バー１２は、取付ブラケット１４・１４，１５・１５に対しジョイント１３・１３を介して図３中矢示する如く回転する。したがって、扉用バーハンドル１０・１１によれば、たとえ手首の不自由なお年寄りや障害者であっても、握持用バー１２を握ったまま手首を使わないで、扉Ｄを押したり引いたりさえすれば、扉Ｄの移動に合わせて簡単に扉Ｄを動かして開閉することができる。
【図面の簡単な説明】
【００１７】
【図１】本発明の一例である扉用バーハンドルを、扉に取り付けた状態で示す縦断面図である。
【図２】扉用バーハンドルの分解斜視図である。
【図３】扉用バーハンドルを、握持用バーが回転状態において示す斜視図である。
【図４】従来の扉用バーハンドルを付設した扉の折戸を示す斜視図である。
【図５】握持用バーを回転構造にした従来の扉用バーハンドルを示す縦断面図である。
【符号の説明】
【００１８】
Ｄ            扉
１０・１１    扉用バーハンドル
１２          握持用バー
１３          ジョイント
１３ａ        ジョイントの環状溝
１４・１５    取付ブラケット
１６          ねじピン
１６ｂ        ねじ先端
２４          取付ブラケットの円形穴
２５          取付ブラケットのねじ穴
【図１】
0004032046.tif 000002
【図２】
0004032046.tif 000003
【図３】
0004032046.tif 000004
【図４】
0004032046.tif 000005
【図５】
0004032046.tif 000006